(57)【要約】【課題】力加減が簡単で、眼球や皮膚を傷つけることなく、また、破損の危険性のない目元マッサ−ジ具を提供すること。【解決手段】金属で、平滑な表面を有する角のない形状に一体に製造し、一方端に平面形状及び側面形状が何れも雫形の略球形部を形成し、該略球形部から他方端に至る部分に等厚で平面形状が長刀形の胴部を形成し、該長刀形の先端部をなす該他方端に等厚で平面形状が半円形の突起部を形成し、且つ、重心を全長の中心から該略球形部方向に偏在させてなる目元マッサ−ジ具とする。【選択図】図１
2012034753.tif 000002
【特許請求の範囲】
【請求項１】
金属で、平滑な表面を有する角のない形状に一体に製造し、一方端に平面形状及び側面形状が何れも雫形の略球形部を形成し、該略球形部から他方端に至る部分に等厚で平面形状が長刀形の胴部を形成し、該長刀形の先端部をなす該他方端に等厚で平面形状が半円形の突起部を形成し、且つ、重心を全長の中心から該略球形部方向に偏在させてなる目元マッサ−ジ具。
【請求項２】
重心を全長の中心部から、前記略球形部方向に全長の３〜２０％偏在させてなる、請求項１に記載の目元マッサ−ジ具。
【請求項３】
ステンレス鋼を使用し、成形後研磨・不動態化することにより製造してなる、請求項１又は２に記載の目元マッサ−ジ具。
【請求項４】
全長が６０〜９０ｍｍであり、質量が２０〜３６ｇである、請求項１〜３のいずれか１項に記載の目元マッサ−ジ具。
【発明の詳細な説明】
【技術分野】
【０００１】
本発明は、使用者が余計な力を加える必要がなく、また、眼球や皮膚を傷つけることのない、目元マッサ−ジ具に関する。
【背景技術】
【０００２】
目元のマッサージは、血液・リンパ液の巡りを促進して疲れを癒し、目元を生きいきとさせ、目の周りのくまやくすみを改善するのに有効であり、その効果を更に高める為のアイクリームと称せられる化粧料も提案されているが、手指を使った施術では、的確に効果部位にマッサージを施すことが困難である。
顔をマッサージする器具としては、酸化チタンをコーティングしたマッサージ部や磁石を埋設したマッサージ部と持ち手からなるマッサージ器具が提案されており（特許文献１及び２参照）、また、陶器製のマッサージ器具も市場に提供されている。しかし、特に、目付近という部位であるために、更なる安全性を確保するためには、使用時の力加減や材質に検討の余地があり、必ずしも満足できるものではない。
【０００３】
即ち、材質について、樹脂では化粧料によるストレスクラックの問題があり、ガラスや陶器では、落としたりすると割れたり欠けてしまうこともあり、そのまま使用すると目付近を傷つける危険性があった。使用時の力加減も重要であるが、力加減が難しく、マッサージ器具を押し付けすぎることにより眼球を傷つける危険性や、日常的な使用により目元の薄い皮膚がすれる危険性があった。
【先行技術文献】
【特許文献】
【０００４】
【特許文献１】特開２００９−２１３７９１号公報
【特許文献２】特開２００９−０２８５２０号公報
【発明の概要】
【発明が解決しようとする課題】
【０００５】
本発明は、このような従来品の欠点を払拭した、力加減が簡単で、眼球や皮膚を傷つけることなく、また、破損の危険性のない目元マッサ−ジ具を提供することを課題とする。
【課題を解決するための手段】
【０００６】
本発明者は、素材に金属を用いて、ある程度の重さを持たせると共に、重心が偏在した形状とすることにより、前記課題を解決した。
すなわち、本発明は、金属で、平滑な表面を有する角のない形状に一体に製造し、一方端に平面形状及び側面形状が何れも雫形の略球形部を形成し、該略球形部から他方端に至る部分に等厚で平面形状が長刀形の胴部を形成し、該長刀形の先端部をなす該他方端に等厚で平面形状が半円形の突起部を形成し、且つ、重心を全長の中心から該略球形部方向に偏在させてなる目元マッサ−ジ具である。
【発明の効果】
【０００７】
本発明によれば、次のような効果を有する目元マッサ−ジ具を提供することができる。
(1) 一定の重さを有し、且つ重心が略球形部のある側に偏在しているため、使用者が余計な力を加えることなく、その自重により効果的な目元のマッサージをすることができる。
(2) 全ての部分が角の無い平滑な表面状態に製作されているため、肌上でのすべりが良く、眼球や皮膚を傷つける恐れがない。
(3) 落下等による破損の恐れがない。
(4) 金属製であるため、熱伝導性が高く、そのコンパクトさも相まって、熱源を内部に持たなくとも、指で持つだけですぐ温まりマッサージ効果が高い。
(5) 接合部を設けずに一体的に製造しているため、腐食に強い。
(6) 略球形部をなだらかな傾斜部分から連続して形成しており、略球形部だけではなく、傾斜部分によっても広域にマッサージを行うことができ、適度な刺激を与える効果がある。
(7) 比較的硬い化粧料を使用する場合にも、自重で容易に伸ばすことができる。
【図面の簡単な説明】
【０００８】
【図１】本発明の目元マッサ−ジ具の１例の平面図である。
【図２】本発明の目元マッサ−ジ具の１例の側面図である。
【図３】図１におけるＡ−Ａ線断面図である。
【発明を実施するための形態】
【０００９】
以下、本発明の目元マッサ−ジ具を、図１〜３により説明する。
目元マッサ−ジ具１は、略球形部２、胴部３及び突起部４からなり、全体を角のない形状としている。
略球形部２は、目元に押し当てて、滑らしながら動かすことにより、マッサージを行うための部位であり、胴部３は、マッサージ具を使用に際して手指で確実に把持するための部位であり、突起部４は、目元周辺のツボ部に押し当ててツボ押し効果を得るための部位である。
図２で明らかなように、胴部３及び突起部４は等しい厚みを有しており、略球形部２は先端に向かうに従って厚みが増している。
【００１０】
而して、略球形部２は、平面形状及び側面形状の何れもが、先端が半球形でなだらかな傾斜を設けた、雫形である形状に形成している。但し、略球形部２の厚みと幅は必ずしも同一ではなく、図１〜３の例では、厚みより幅の方が大きい、扁平な半球形となっている。
胴部３は、厚みが一定で、平面形状が長刀形に形成してあり、長刀形の根元部分の、略球形部２に連なる位置（図１のＡ−Ａ線の部分）がくぼんでおり、そのくぼみ部分に指を添えることで、使い勝手良く使用できる。
突起部４は、胴部３の長刀形の先端部分に、厚みが一定で、平面形状が半円形に形成してある。
【００１１】
目元マッサ−ジ具１は、良好な使用感を得るには、全長を６０〜９０ｍｍとし、その内の、胴部３及び突起部４を有する、等厚の部分（図１におけるＡ−Ａ線から下方の部分）の長さを３５〜４０ｍｍとし、略球形部２を有する、厚みが次第に増してゆく部分（図１におけるＡ−Ａ線から上方の部分）の長さを２５〜５５ｍｍとするのが好ましく、使い勝手を良くするためには、横幅を１５〜２５ｍｍとするのが好ましい。
胴部３及び突起部４を有する等厚の部分は、厚みを３．０〜５．０ｍｍとするのが好ましく、略球形部２は、その最大厚みを、胴部３及び突起部４を有する、等しい厚みの部分の厚みの２倍以上とするのが、重心を偏在させ、自重を大きくするためには好ましい。
突起部４は、ツボ押し効果を効率良く得るためには、半円形の直径が４．０〜５．０ｍｍとなるように形成するのが好ましい。
【００１２】
目元マッサージ具１は、重心を全長の中心部から、略球形部２の方向に偏在させ、目元マッサージ具の質量を略球形部２に集中させることにより、自重によるマッサージ効果を得ることが可能となる。
而して、重心を全長の中心部から、略球形部２の方向に全長の３〜２０％偏在させるのが好ましい。
【００１３】
本発明の目元マッサージ具は、鉄、黄銅、チタン、スズ、アルミ、マグネシウム、金、銀、プラチナ等の金属を用い、成形後に研磨したり、めっきを施して製造することができるが、比重や耐食性の点からはステンレス鋼を用い、成形後研磨・不動態化することにより製造するのが好ましい。
【符号の説明】
【００１４】
１：目元マッサージ具
２：略球形部
３：胴部
４：突起部
【図１】
2012034753.tif 000003
【図２】
2012034753.tif 000004
【図３】
2012034753.tif 000005